(57)【要約】【課題】例えば映画番組を記録する際に、５．１チャンネルのサラウンド音声の本編と、本編の間の２チャンネルステレオ音声のＣＭとを１番組として、１番組記録中にチャンネル数を変化させることなく、かつ音声レベルを均一にエンコードする。【解決手段】番組情報を含んだ入力手段１００からの音声信号を、利用者から指定手段２００により指定されたチャンネル数の出力音声に配分手段４００にて配分し、ゲイン設定手段５００にて音声種別指定に基づいてゲイン設定を行ったうえで、エンコード手段６００にて、指定手段２００にて指定されたチャンネル数でエンコードする。【選択図】図１
2010114803.tif 000002
【特許請求の範囲】
【請求項１】
番組に付随する番組情報を有する音声信号を入手する入力手段と、
利用者により番組を記録するチャンネル数を指定する指定手段と、
前記入力手段に入力される音声信号の種別を予め指定する音声種別指定手段と、
前記入力手段からの音声信号を前記指定手段により指定されたチャンネル数の出力音声に配分する配分手段と、
前記配分手段の出力音声信号のうちで、前記配分手段で配分された音声信号のゲイン設定を前記音声種別設定手段に設定された音声種別に応じて行うゲイン設定手段と、
前記ゲイン設定手段で設定されたゲイン設定により、前記配分手段から出力される複数の番組音声信号を、前記指定手段により指定された固定のチャンネル数でエンコードするエンコード手段とを備えたことを特徴とする音声処理装置。
【請求項２】
請求項１記載の音声処理装置において、
前記指定手段は、前記入力手段が入力した番組情報に所定のチャンネル数以下の音声情報を持つ番組を含んでいるか否かを判別する判別手段を有し、
前記判別手段の判別情報を基にして、前記配分手段にて、該番組の音声信号を所定チャンネル数の出力音声に配分し、前記配分手段から出力される複数の番組音声信号を、前記判別手段で判別された所定のチャンネル数でエンコードするエンコード手段を備えたことを特徴とする音声処理装置。
【請求項３】
請求項１記載の音声処理装置において、
前記ゲイン設定手段は、エンコードする番組の再生時における各チャンネルをミキシングするためのダイナミックレンジコントロール係数にオフセット値を設定する機能を有することを特徴とする音声処理装置。
【請求項４】
請求項１記載の音声処理装置において、
前記ゲイン設定手段は、エンコードする番組の再生時における各チャンネルをミキシングするためのダイナミックレンジコントロール係数に、オフセット値を前記入力手段に入力される音声信号に格納されているダウンミキシング係数に基づいて設定する機能を有することを特徴とする音声処理装置。
【請求項５】
請求項１記載の音声処理装置において、
前記ゲイン設定手段は、エンコードする番組の各チャンネルの音声レベルを変更する機能を有することを特徴とする音声処理装置。
【請求項６】
請求項１記載の音声処理装置において、
前記配分手段は、エンコードする番組の有音チャンネル数が、エンコードするチャンネル数より少ない場合、エンコードするチャンネル数と同じになるように、有音チャンネルを生成する機能を有することを特徴とする音声処理装置。
【発明の詳細な説明】
【技術分野】
【０００１】
本発明は、圧縮符号化された音声信号の伸張後に再度符号化する音声処理装置に関するものである。
【背景技術】
【０００２】
従来、圧縮符号化されて記録されたビデオ信号及びオーディオ信号をＣＤ−ＲＯＭ、ＤＶＤ−ＲＯＭ、半導体メモリ、ハードディスクなどの記録媒体から読み出し、デコード（伸張）して出力するデータ再生装置が知られている。データ再生装置が伸張されたデータを映像モニタ、音響スピーカなどに送ることにより、ビデオ及びオーディオの再生が実現される。デジタル放送もまた圧縮符号化されたビデオ信号及びオーディオ信号を受信し、記録媒体からの再生と同様に、デコード出力することで再生を実現することができる。
【０００３】
圧縮符号化に関しては、多くの規格が規定されている。画像データ符号化の主な例としては、ＭＰＥＧ−２、ＭＰＥＧ−４などが挙げられる。また、音声データ符号化の主な例としては、Ｄｏｌｂｙ  Ｄｉｇｉｔａｌ、ＤＴＳ（Ｄｉｇｉｔａｌ  Ｔｈｅａｔｅｒ  Ｓｙｓｔｅｍ）、ＭＰＥＧ  Ａｕｄｉｏ、情報量を削減しないＰＣＭ方式などが挙げられる。Ｄｏｌｂｙ  Ｄｉｇｉｔａｌは米Ｄｏｌｂｙ社の登録商標である。ＤＴＳは米Ｄｉｇｌｔａｌ  Ｔｈｅａｔｅｒ  Ｓｙｓｔｅｍ社の登録商標である。
【０００４】
これら音声データ符号化方式で符号化された信号を、以降符号化音声データと呼ぶ。符号化音声データでは複数チャンネルの信号が符号化されている。
【０００５】
ある従来技術によれば、オーディオ音場処理、ダウンミックス処理、低音再生処理等の音響処理を行うにあたり、オーバーフローによる音質劣化を防止するため全チャンネルのＰＣＭデータを画一的に減衰させる正規化機能を有する音響再生装置において、正規化方法指示が外部指定である場合には外部指定の正規化係数情報を用いて正規化処理を行い、正規化方法指示が内部算出である場合にはＰＣＭデータのチャンネル構成を示す入力チャンネル構成情報とＰＣＭデータの再生条件を示す出力制御情報とを用いて正規化処理を行う（特許文献１参照）。
【特許文献１】特開２００７−０３３５０７号公報
【発明の開示】
【発明が解決しようとする課題】
【０００６】
さて、デジタル放送など複数の音声チャンネルからなる音声信号が入力され、かつ記録される音声処理装置において、入力されるチャンネル数が２以下の場合はダイナミックレンジコントロール係数を設定する機能をＯＦＦにし、入力されるチャンネル数が３以上の場合はダイナミックレンジコントロール係数を設定する機能をＯＮにすることとすれば、入力されるチャンネル数が変化しても、記録した音声の再生時の音声レベルを均一に保持することが可能になる。
【０００７】
しかしながら、ダイナミックレンジコントロール係数を設定する機能のＯＮ／ＯＦＦを操作するのみでは、本機能をＯＮにした場合にも音声レベルの調整はエンコード手段に依存し、音声レベルの均一さを十分には達成できない。
【０００８】
例えば、日本国内のデジタル放送では、マルチチャンネル信号をステレオ信号にダウンミキシングする場合の係数が定められているが、本係数をエンコード手段に伝える手段がないために、結果として、入力するチャンネル数が２以下の場合と、入力するチャンネル数が３以上の場合とで音声レベルの差が発生する。
【０００９】
本発明は、このような問題に鑑みて、例えば映画番組を記録する際に、５．１チャンネルのサラウンド音声の本編と、本編の間の２チャンネルステレオ音声のＣＭとを１番組として、１番組記録中にチャンネル数を変化させることなく、かつ音声レベルを均一にエンコードすることを目的とする。
【課題を解決するための手段】
【００１０】
本発明による第１の音声処理装置は、番組に付随する番組情報を有する音声信号を入手する入力手段と、利用者により番組を記録するチャンネル数を指定する指定手段と、前記入力手段に入力される音声信号の種別を予め指定する音声種別指定手段と、前記入力手段からの音声信号を前記指定手段により指定されたチャンネル数の出力音声に配分する配分手段と、前記配分手段の出力音声信号のうちで、前記配分手段で配分された音声信号のゲイン設定を行うゲイン設定手段と、前記ゲイン設定手段で設定されたゲイン設定により、前記配分手段から出力される複数の番組音声信号を、前記指定手段により指定された固定のチャンネル数でエンコードするエンコード手段とを備えたもので、番組内で再生チャンネル数の変化を伴った場合においても、配分手段によりサラウンドチャンネルの一部のチャンネルに記録チャンネルを割り当てて記録し続けるため、記録チャンネル数が変わらない記録をし続けるとともに、ゲイン設定により記録番組の再生時に、チャンネル数の変化前後で、再生音量が変わらないように記録する手段を提供するものである。
【００１１】
本発明による第２の音声処理装置は、前記指定手段が、前記入力手段が入力した番組情報に所定のチャンネル数以下の音声情報を持つ番組を含んでいるか否かを判別する判別手段を有し、前記判別手段の判別情報を基にして、前記配分手段にて、該番組の音声信号を所定チャンネル数の出力音声に配分し、前記配分手段から出力される複数の番組音声信号を、前記判別手段で判別された所定のチャンネル数でエンコードするエンコード手段を備えたもので、番組情報をみることにより、５．１チャンネルなどのサラウンド放送があると判断された場合には、サラウンドチャンネル数で固定された番組記録を行い、２チャンネルのステレオ放送しかないと判断された場合には、２で固定されたチャンネル数で記録する手段を提供するものである。
【００１２】
本発明による第３の音声処理装置は、ゲイン設定手段が、エンコードする番組の再生時における各チャンネルをミキシングするためのダイナミックレンジコントロール係数のオフセットを設定する機能を有するもので、サラウンドの再生音声を、音量を変えることなくエンコード手段に入力し、エンコード記録する際に、再生チャンネル数の変化に応じて記録用のダイナミックレンジコントロール係数を変更して記録するため、記録音声をモニタ出力する場合においても、途中で音量が変わることのない手段を提供するものである。
【００１３】
本発明による第４の音声処理装置は、前記ゲイン設定手段が、エンコードする番組の再生時における各チャンネルをミキシングするためのダイナミックレンジコントロール係数に、オフセット値を前記入力手段に入力される音声信号に格納されているダウンミキシング係数に基づいて設定する機能を有するもので、サラウンドの再生音声を、音量を変えることなくエンコード手段に入力し、エンコード記録する際に、再生チャンネル数の変化に応じて記録用のダイナミックレンジコントロール係数をアプリケーションに対して最適な変更を実施して記録するため、記録音声をモニタ出力する場合においても、途中で音量が変わることのない手段を提供するものである。
【００１４】
本発明による第５の音声処理装置は、前記ゲイン設定手段が、エンコードする番組の各チャンネルの音声レベルを変更する機能を有するもので、サラウンドの再生音声を、音量を変えることなくエンコード手段に入力し、エンコード記録する際に、再生チャンネル数の変化に応じて記録用の音声信号のレベルを変更して記録するため、記録音声をモニタ出力する場合においても、途中で音量が変わることのない手段を提供するものである。
【００１５】
本発明による第６の音声処理装置は、前記配分手段が、エンコードする番組の有音チャンネル数が、エンコードするチャンネル数より少ない場合、エンコードするチャンネル数と同じになるように、有音チャンネルを生成する機能を有するもので、番組内で再生チャンネル数の変化を伴った場合においても、配分手段によりサラウンドチャンネルの一部のチャンネルに記録チャンネルを割り当てて記録し続けるため、記録番組の再生時に、チャンネル数の変化前後で、再生音量が変わらないように記録する手段を提供するものである。
【発明の効果】
【００１６】
以上のように、本発明による第１〜第５の音声処理装置は、デジタル放送のサラウンドチャンネルを有する放送番組を記録する場合に、番組内で再生チャンネル数の変化を伴った場合においても、配分手段にてサラウンドチャンネルの一部のチャンネルに記録チャンネルを割り当ててチャンネル数を変化させることなく記録し続けるとともに、記録した番組の再生時において、記録時の再生チャンネル数の変化前後で、ゲイン設定手段によってアプリケーションに基づいて最適に設定されたゲインにて再生音量が変わらないような記録をし続けるために、サラウンドチャンネルの番組を聴きながら、サラウンドチャンネル数のまま記録するに適した装置を提供するものである。
【００１７】
本発明による第６の音声処理装置は、デジタル放送のサラウンドチャンネルを有する放送番組を記録する場合に、番組内で再生チャンネル数の変化を伴った場合においても、配分手段にてサラウンドチャンネルの一部のチャンネルに記録チャンネルを割り当ててチャンネル数を変化させることなく記録し続けることで、記録番組の再生時において、記録時の再生チャンネル数の変化前後で、再生音量が変わらないような記録をし続けるために、サラウンドチャンネルの番組を聴きながら、サラウンドチャンネル数のまま記録するに適した装置を提供するものである。
【発明を実施するための最良の形態】
【００１８】
以下、本発明の実施の形態を図面に基づいて詳細に説明する。
【００１９】
《実施の形態１》
はじめに、本発明の実施の形態１における音声処理装置の構成を示すブロック図である図１を主として参照しながら説明する。
【００２０】
図１は、デジタル放送を受信する入力手段１００と、利用者により番組を記録する音声チャンネル数を指定する指定手段２００と、入力手段１００からの音声信号をデコードするデコード手段３００と、デコード手段３００でデコードされた音声を、指定手段２００により指定されたチャンネル数の出力音声に配分する配分手段４００と、入力手段１００に入力される音声信号の種別を予め指定する音声種別指定手段８００と、配分手段４００で配分された音声信号の記録用のゲイン設定を行うゲイン設定手段５００と、配分手段４００から出力される番組の音声信号を外部に出力する再生出力手段７００と、同じ音声信号を、ゲイン設定手段５００で設定されたゲイン設定によりエンコードするエンコード手段６００とからなる音声処理装置を示している。
【００２１】
入力手段１００は、セットトップボックス（以下ＳＴＢと略す）や、デジタル放送レコーダなどで衛星デジタル放送を受信する部分、パーソナルコンピュータ（以下ＰＣと略す）のチューナ部分だけでなく、光ディスクやハードディスクなどの記録機器からの再生入力部分から構成される。エンコード手段６００は、入力された信号を圧縮符号化するものであり、エンコード音声をそのまま外部出力信号として出力するエンコード音声出力手段（図示せず）や、エンコード音声をハードディスクや光ディスク、半導体メモリなどに記録する記録手段（図示せず）から構成される。
【００２２】
入力手段１００は、複数のデジタル放送局の送出する電波を受信し、受信した放送電波から利用者が選局した１つの放送局を選ぶ復調部内で復調し、エラー訂正を行い、トランスポートストリームを出力する。トランスポートストリームは、デコード手段３００で、パケットＩＤ別に、映像、音声、番組情報など各々のデータにフィルタリングされたあと、映像、音声に分割されてデコードされる。
【００２３】
配分手段４００は、デコードされた音声信号を指定手段２００にて指定された数のチャンネルに配分する。例えば、利用者が２チャンネルか、５．１チャンネルかを指定する選択メニューにより、エンコード配分チャンネル数が指示される。
【００２４】
本実施の形態の第１の動作として、指定手段２００により２チャンネルでのエンコードが指示された場合について説明する。
【００２５】
指定手段２００により、２チャンネルでのエンコードが指示された場合のデコード音声とエンコード音声との関係について図２と図３を用いて説明する。図２において、ＦＬとはフロント左チャンネル、ＦＲとはフロント右チャンネル、Ｃとはセンターチャンネル、ＳＬとはサラウンド左チャンネル、ＳＲとはサラウンド右チャンネル、ＳＷとはサブウーハチャンネルをそれぞれ指す。
【００２６】
配分手段４００は、利用者により２チャンネルへの配分が指示されているため、入力チャンネル数がいかなる場合でも出力が２チャンネルになるように配分する。
【００２７】
放送番組がステレオ放送の２チャンネル音声（図２の２ｃｈ再生区間）ならそのままＦＬとＦＲの２チャンネルに配分する。５．１サラウンド番組などの３チャンネル以上のサラウンド信号のデコード音声（図３のデコード音声を参照）なら、３チャンネル以上の音声信号を、図３のエンコード音声のＤＭＩＸＬとＤＭＩＸＲに該当する２チャンネルにダウンミックスする。
【００２８】
チャンネル数を減らすためのダウンミックス信号処理としては、ダウンミックス加算係数が規定されている。例えば、日本国内のデジタル放送で利用されているＡＡＣ（Ａｄｖａｎｃｅｄ  Ａｕｄｉｏ  Ｃｏｄｉｎｇ）方式では、５．１チャンネルの各チャンネルからステレオ２チャンネルへのダウンミックス係数が指示されており、ダウンミックス係数を用いた各チャンネル加算により、各位相がずれないように加算される。
【００２９】
２ヶ国語放送の記録の場合は、デュアルモノラルといわれる方式で符号化されているので、一方のチャンネル（例えば日本語／英語が記録され、日本語のみ再生など）を記録するという選択手段を持つ場合は、選択された側のモノラルの音声信号を２チャンネルでエンコードする処理を行えばよい。例えば、一方の選択チャンネル音声を位相がずれないように、もう一方のチャンネルへデータ複写することでも実現できる。元がモノラル音声信号なら、左右の２チャンネル信号に同じ音声信号を複写する配分を行えばよい。
【００３０】
配分手段４００のなかでダウンミックス加算係数による配分を行っているので、ゲイン設定手段５００は、もとのデコード音声のチャンネル数に連動することなく、後述のＤＲＣ係数設定を行わない（図３参照）。もちろんステレオ音声の２チャンネルを、そのまま２チャンネルでエンコードする場合もＤＲＣ係数設定を行わない（図２参照）。
【００３１】
本実施の形態の第２の動作として、指定手段２００により５．１チャンネルでのエンコードが指示され、番組内で再生チャンネル数の変化を伴ったサラウンドチャンネル番組をエンコードする場合について、図４を用いて説明する。
【００３２】
上記番組のサラウンドチャンネル部分の音声信号は、デコード手段３００からの音声信号チャンネルが配分手段４００からそのまま出力され、エンコード手段６００に入力される。
【００３３】
上記番組のステレオチャンネル部分の音声信号は、ＦＬとＦＲの２チャンネルに割り当てる。その他のデコード音声がないチャンネルは、配分手段４００から音量レベル０を出力するチャンネルとして割り当てて、音量０を示すデータを出力する。このとき、エンコード手段６００は、ＦＬとＦＲのみ音量があり、他のチャンネルは音量０としたサラウンド音声信号としてエンコードを行う。
【００３４】
上記番組のデュアルモノラル部分の音声信号は、ステレオチャンネル配分の場合と同じく左右の一方の音声を選択し、他方の音声を複写したあとで、ＦＬとＦＲの２チャンネルに割り当てる。その他のチャンネルは、配分手段４００から音量レベル０を出力する。
【００３５】
上記番組のモノラル部分の音声信号は、ステレオチャンネル配分と同じく左右に同じ信号を複写し、ＦＬとＦＲの２チャンネルに割り当てるか、センターチャンネルＣの１チャンネルのみに割り当てる。その他のチャンネルは、配分手段４００から音量レベル０を出力し、エンコード手段６００は、サラウンド音声信号としてエンコードを行う。
【００３６】
さて、配分手段４００にて、エンコードするための音声チャンネル配分を決定したあとで、エンコードするための各音声信号の音量係数を定める必要がある。
【００３７】
これを行うのがゲイン設定手段５００である。ドルビーデジタル方式（ＡＣ−３方式と記す）と呼ばれる符号化方式でエンコードする場合、ダイナミックレンジコンプレッション（以下ＤＲＣと略す）の係数を設定する必要がある。これは、ＡＣ−３方式でエンコードされた音声信号をデコード再生する場合に有効となるものである。ＤＲＣは、マルチチャンネルエンコードされた音声信号をデコード側の再生チャンネル数などの環境により、２チャンネルでダウンミックス再生する場合に、音量を抑えて加算するように指示する係数のことである。これを設定せずにダウンミックスした場合は、特定のチャンネルの音量があふれるような加算になってしまう場合があり、音声歪みとなる恐れがある。
【００３８】
上記番組のサラウンドチャンネル部分の音声信号を処理する場合、ゲイン設定手段５００は、音声種別指定手段８００に指定されている音声種別に基づいて、ＤＲＣ係数のオフセットを決め、エンコード手段６００へ通知する。
【００３９】
音声種別指定手段８００には音声種別、例えば、入力手段１００が受信している電波が日本国内デジタル放送のものであることを示す情報が予め指定されており、この場合日本国内デジタル放送に適したＤＲＣ係数を設定する。日本国内デジタル放送では、５．１チャンネル番組をステレオ出力する場合のダウンミキシング方法が定められており、このダウンミキシング方法に基づいたＤＲＣ係数を設定する。
【００４０】
なお、入力手段１００に入力される音声信号にダウンミキシング方法を決定するための情報が格納されている場合もあり、この情報に基づいたＤＲＣ係数の設定も可能である。
【００４１】
また、上記ＤＲＣ係数のオフセットは、エンコード手段６００では、ＤＲＣ係数の最小値として使用することも可能である。
【００４２】
一方、ステレオチャンネル部分など、上記番組のサラウンドチャンネル部分以外の音声信号を処理する場合、ＤＲＣ係数のオフセットは設定しない。ステレオ信号の場合は、音量あふれになるようなＦＬとＦＲ以外のチャンネルからの加算信号はない（０レベルであるから、加算しても元の信号の音量と変わらないからである）。逆にステレオ信号の場合にＤＲＣ係数を設定すれば、他のチャンネルからの信号があっても音量あふれがないように信号再生レベルを下げることになってしまう。したがって、ＤＲＣ係数の設定をせずにエンコードすることが必要である。
【００４３】
指定手段２００により、５．１チャンネルでのエンコードが指定されている場合には、配分手段４００からの各信号の音量を変更することなくエンコード手段６００へ入力されるとともに、再生出力手段７００へも入力されるように構成すれば、以下のような効果が得られる。
【００４４】
再生出力手段７００に、アナログ音声出力用ＤＡコンバータや、ＨＤＭＩ端子などからなる出力端子が接続されていることを想定して説明する。ＤＡコンバータからの音声出力、もしくはＨＤＭＩケーブルを接続した外部のＡＶアンプからの出力により、音声出力がなされる場合、エンコード記録が始まった途端に、記録音量の都合で出力音量が変更されるのは、好ましくない。
【００４５】
もし、配分手段４００から出力する音量が、エンコード手段６００への都合により、音量を変化させる構成とすると、同じ配分手段４００から出力される再生出力手段７００の音量にも影響がでてしまう。もちろん、配分手段４００が、エンコード手段６００と再生出力手段７００との各々個別に音声出力を配分すればよいが、回路規模や信号処理演算の簡易化を目的として、配分手段４００からの出力を共通とした場合には、音量が変化することは好ましくない。そこで、本発明の構成例では、これを共通化した構成で示している。サラウンドエンコードの場合、元の音量を損なうことなくチャンネルの音量を出力することにより、エンコードと音声出力とを両立できる効果がある。
【００４６】
なお、指定手段２００により２チャンネルエンコードを指定した場合は、２チャンネルのモニタ音声として再生出力手段７００から出力する。配分手段４００は、ダウンミックス係数を用いて、３チャンネル以上の元音声信号を、２チャンネルにダウンミックスする。もと２チャンネルの場合は、そのまま出力される。つまり、配分手段４００からは、再生出力手段７００とエンコード手段６００とに、同じ音量の２チャンネルの信号が出力される。
【００４７】
一方、サラウンドチャンネル部分を有する番組をエンコード記録する場合において、途中で宣伝部分（ＣＭと略す）をはさむ場合がある。図４のように、利用者がある一定期間の１つの番組時間枠を指定し、サラウンドエンコード記録を指定した場合に、本編のクラシック音楽部分は５．１チャンネル放送であり、ＣＭ部分は２チャンネルステレオ放送である場合がある。ＣＭが終わればまた５．１チャンネルのクラシック音楽部分の続きがある。この場合、デコード手段３００で、デコードするチャンネル数の情報により、配分手段４００は、５．１チャンネル区間は５．１チャンネルの音声信号をそのまま出力し、２チャンネル区間は、ＦＬとＦＲの音声信号と、その他のチャンネルは０レベルの音声信号を出力する。更にゲイン設定手段５００が、５．１チャンネル区間はＤＲＣ係数のオフセットを設定し、２チャンネル区間はＤＲＣ係数のオフセットを設定せずに、エンコード記録を行う。この間、再生出力手段７００からは、５．１チャンネル区間と２チャンネル区間で再生音量が変わることなしに（出力される音声は５．１チャンネルから２チャンネルに変わるが、これは放送音声と同じ）、音声出力することができる。
【００４８】
エンコード手段６００は、５．１チャンネル区間も２チャンネル区間も全て、５．１チャンネルとして記録する。またＤＲＣ設定は、５．１チャンネル区間のみＯＮとして記録される。このようにエンコード記録された番組を、デコーダ機能を有する再生機によってデコード再生する場合、このＤＲＣ設定を生かしてデコードすることにより、再生時の音量歪みを防ぐことができる。５．１チャンネル区間で、５．１チャンネルのスピーカ環境で再生する場合は、素材そのままの音量で再生すればよい。素材より少ないスピーカ環境で再生する場合は、ダウンミックス係数とＤＲＣ設定とを用いれば、音声歪みを起こすことなく再生が可能である。
【００４９】
なお、音声チャンネル数が変化したときの情報は、デコード手段３００によるデコード結果から判るので、変化時のプレイリスト情報として、エンコード記録番組に一緒に記録する構成が望ましい。プレイリストをエンコード記録に付与することで、再生時に、プレイリストを参照すれば、再生チャンネル数が変更した場所を特定することができる。これは、全て５．１チャンネルとして記録し続けることにより、元のチャンネル数情報がなくなってしまうので、これを補完する目的でつけるものである。チャンネル数変更情報によるプレイリスト情報を残せば、ＣＭ区間などチャンネル数が変わったところを特定できるので、タイトル再生中のスキップなどに便利である。
【００５０】
本実施の形態をとることにより、番組途中のＣＭなどで、チャンネル数が変わった場合においても、同じチャンネル数のままで記録が続けられることにより、ＤＶＤビデオ規格との互換をとった方式での番組記録が可能となる。チャンネル数が変わるごとに番組を分割して記録する必要はない。
【００５１】
また、チャンネル数が変わった場合でも、再生時にダウンミキシングした音声のレベルを、均一化することができる。
【００５２】
なお、入力手段１００、指定手段２００、デコード手段３００、配分手段４００、ゲイン設定手段５００、エンコード手段６００、再生出力手段７００、音声種別指定手段８００は、各々別々の半導体集積回路とその制御用のプログラムとにより実現することができる。しかし、それぞれの機能を実現できる限り、１つの半導体集積回路とその制御用のプログラムとによって実現してもよい。
【００５３】
《実施の形態２》
本発明の実施の形態２における音声処理装置の構成を示すブロック図である図５を主として参照しながら、本実施の形態２の構成について説明する。実施の形態１との違いとして、ゲイン設定手段５００がゲイン設定手段５０１に変更され、エンコード手段６００がエンコード手段６０１に変更されている。
【００５４】
図５は、デジタル放送を受信する入力手段１００と、利用者により番組を記録する音声チャンネル数を指定する指定手段２００と、入力手段１００からの音声信号をデコードするデコード手段３００と、デコード手段３００でデコードされた音声を、指定手段２００により指定されたチャンネル数の出力音声に配分する配分手段４００と、入力手段１００に入力される音声信号の種別を予め指定する音声種別指定手段８００と、配分手段４００で配分された音声信号の記録用のゲイン設定を行うゲイン設定手段５０１と、配分手段４００から出力される番組の音声信号を外部に出力する再生出力手段７００と、同じ音声信号を、ゲイン設定手段５０１で設定されたゲイン設定によりエンコードするエンコード手段６０１とからなる音声処理装置を示している。
【００５５】
実施の形態１との差分として、指定手段２００により５．１チャンネルでのエンコードが指示され、番組内で再生チャンネル数の変化を伴ったサラウンドチャンネル番組をエンコードする場合について説明する。
【００５６】
上記番組のサラウンドチャンネル部分をエンコードする場合、ゲイン設定手段５０１は、音声種別指定手段８００に指定されている音声種別に基づいて、各チャンネルの音声レベルを変換する係数を決め、エンコード手段６０１へ通知する。
【００５７】
エンコード手段６０１は、通知された変換係数で各チャンネルの音声データを変換する。具体的には各チャンネルの音声データのレベルを下げる。
【００５８】
音声種別指定手段８００には音声種別、例えば、入力手段１００が受信している電波が日本国内デジタル放送のものであることを示す情報が予め指定されており、この場合日本国内デジタル放送に適した変換係数を設定する。日本国内デジタル放送では、５．１チャンネル番組をステレオ出力する場合のダウンミキシング方法が定められており、上記ダウンミキシング方法に基づいた変換係数を設定する。
【００５９】
なお、入力手段１００に入力される音声信号にも、上記ダウンミキシング方法を決定するための情報が格納されている場合があり、上記情報に基づいた変換係数の設定も可能である。
【００６０】
上記番組のステレオチャンネル部分をエンコードする場合、変換係数は設定しない（図６参照）。
【００６１】
本実施の形態をとることにより、番組途中のＣＭなどで、チャンネル数が変わった場合においても、同じチャンネル数のままで記録が続けられることにより、ＤＶＤビデオ規格との互換をとった方式での番組記録が可能となる。チャンネル数が変わるごとに番組を分割して記録する必要はない。
【００６２】
また、チャンネル数が変わった場合でも、再生時にダウンミキシングした音声のレベルを均一化することができる。
【００６３】
なお、入力手段１００、指定手段２００、デコード手段３００、配分手段４００、ゲイン設定手段５０１、エンコード手段６０１、再生出力手段７００、音声種別指定手段８００は、各々別々の半導体集積回路とその制御用のプログラムとにより実現することができる。しかし、それぞれの機能を実現できる限り、１つの半導体集積回路とその制御用のプログラムとによって実現してもよい。
【００６４】
《実施の形態３》
本発明の実施の形態３における音声処理装置の構成を示すブロック図である図７を主として参照しながら、本実施の形態３の構成について説明する。実施の形態１との違いとして、ゲイン設定手段５００、音声種別指定手段８００が削除され、配分手段４００が配分手段４０２に変更されている。
【００６５】
図７は、デジタル放送を受信する入力手段１００と、利用者により番組を記録する音声チャンネル数を指定する指定手段２００と、入力手段１００からの音声信号をデコードするデコード手段３００と、デコード手段３００でデコードされた音声を、指定手段２００により指定されたチャンネル数の出力音声に配分する配分手段４０２と、配分手段４０２から出力される番組の音声信号を外部に出力する再生出力手段７００と、同じ音声信号をエンコードするエンコード手段６００とからなる音声処理装置を示している。
【００６６】
実施の形態１との差分として、指定手段２００により５．１チャンネルでのエンコードが指示され、番組内で再生チャンネル数の変化を伴ったサラウンドチャンネル番組をエンコードする場合について、図８を参照して説明する。
【００６７】
上記番組のステレオチャンネル部分をエンコードする場合、配分手段４０２は、デコード手段３００でデコードされた音声を、５．１チャンネルの有音音声に変更する。ステレオチャンネルの音声を、５．１チャンネルの音声に変換する方法としては、ドルビープロロジック、ＤＴＳ  Ｎｅｏ：６などがある。
【００６８】
上記番組のサラウンドチャンネル部分をエンコードする場合、配分手段４０２は、デコード手段３００でデコードされて入力された音声をそのまま出力する。
【００６９】
本実施の形態をとることにより、番組途中のＣＭなどで、チャンネル数が変わった場合においても、同じチャンネル数のままで記録が続けられることにより、ＤＶＤビデオ規格との互換をとった方式での番組記録が可能となる。チャンネル数が変わるごとに番組を分割して記録する必要はない。
【００７０】
また、特に有音チャンネル数が少ない時に有音チャンネルを作成することで、チャンネル数が変わった場合でも、再生時の音声レベルを均一化することができる。
【００７１】
なお、入力手段１００、指定手段２００、デコード手段３００、配分手段４０２、エンコード手段６００、再生出力手段７００は、各々別々の半導体集積回路とその制御用のプログラムとにより実現することができる。しかし、それぞれの機能を実現できる限り、１つの半導体集積回路とその制御用のプログラムとによって実現してもよい。
【産業上の利用可能性】
【００７２】
本発明における音声処理装置は、デジタル放送のサラウンドチャンネルを有する放送番組を記録する場合に、番組内で再生チャンネル数の変化を伴った場合においても、再生音量を変化させることなく、サラウンドチャンネルを記録し続けるといった用途に使用することができる。
【図面の簡単な説明】
【００７３】
【図１】本発明の実施の形態１における音声処理装置の構成を示すブロック図である。
【図２】本発明の実施の形態１における音声処理装置の２チャンネル記録時におけるデコード音声とエンコード音声との関係を示す図である。
【図３】本発明の実施の形態１における音声処理装置のサラウンド放送時の２チャンネル記録におけるデコード音声とエンコード音声との関係を示す図である。
【図４】本発明の実施の形態１における音声処理装置のサラウンドチャンネル記録時におけるデコード音声とエンコード音声との関係を示す図である。
【図５】本発明の実施の形態２における音声処理装置の構成を示すブロック図である。
【図６】本発明の実施の形態２における音声処理装置のサラウンドチャンネル記録時におけるデコード音声とエンコード音声との関係を示す図である。
【図７】本発明の実施の形態３における音声処理装置の構成を示すブロック図である。
【図８】本発明の実施の形態３における音声処理装置のサラウンドチャンネル記録時におけるデコード音声とエンコード音声との関係を示す図である。
【符号の説明】
【００７４】
１００  入力手段
２００  指定手段
３００  デコード手段
４００，４０２  配分手段
５００，５０１  ゲイン設定手段
６００，６０１  エンコード手段
７００  再生出力手段
８００  音声種別指定手段
【図１】
2010114803.tif 000003
【図２】
2010114803.tif 000004
【図３】
2010114803.tif 000005
【図４】
2010114803.tif 000006
【図５】
2010114803.tif 000007
【図６】
2010114803.tif 000008
【図７】
2010114803.tif 000009
【図８】
2010114803.tif 000010